(57)【要約】【課題】ＦＭ帯からＵＨＦ帯等の幅広い周波数帯のアンテナとして、小型かつ製作精度が要求されないものを提供する。【解決手段】給電点Ｆｐを構成する中継部３Ａと、この中継部３Ａの一の端子に電気的に接続され、当該電波の波長をλとしたとき、電波の受信により発生する電流が中継部３Ａの一の端子へ流れる経路としてλ／４の長さを取り得る面積を持つ板状導体１１のアンテナエレメント２Ａと、中継部３Ａの他の端子に一端が電気的に接続される同軸線５と、この同軸線５の一端が接続される中継部３Ａの他の端子から電波の波長のほぼ４分の１の長さだけ離れた位置に設けられ、同軸線５が貫通または巻回されるフェライトコア４と、を有するコブラアンテナが提供される。【選択図】図２
2011259414.tif 000002
【特許請求の範囲】
【請求項１】
給電点を構成する中継部と、
前記中継部の一の端子に電気的に接続され、当該電波の波長をλとしたとき、電波の受信により発生する電流が前記中継部の一の端子へ流れる経路としてλ／４の長さを取り得る面積を持つ板状導体のアンテナエレメントと、
前記中継部の他の端子に一端が電気的に接続される同軸線と、
前記同軸線の一端が接続される前記中継部の他の端子からほぼλ／４の長さだけ離れた位置に設けられ、前記同軸線が貫通または巻回される第１のフェライトコアと、
を備えたコブラアンテナ。
【請求項２】
前記中継部の一の端子に接続される前記アンテナエレメントの板状導体は、前記中継部において前記同軸線の芯線と電気的に接続されている
請求項１に記載のコブラアンテナ。
【請求項３】
前記アンテナエレメントの板状導体は、前記同軸線の軸方向に長い矩形である
請求項２に記載のコブラアンテナ。
【請求項４】
前記同軸線の他端が接続される受信機器のコネクタの前段に、前記同軸線からの高周波電流を遮断するための第２のフェライトコア、をさらに備え、
前記第２のフェライトコアは、高周波的に高いインピーダンスを持ち、前記同軸線が貫通または巻回される
請求項３に記載のコブラアンテナ。
【請求項５】
給電点を構成する中継部と、
前記中継部の一の端子に電気的に接続され、受信する電話の波長をλとしたとき、ほぼλ／４の長さの線状導体がらせん状に形成されてなるアンテナエレメントと、
前記中継部の他の端子に一端が電気的に接続される同軸線と、
前記同軸線の一端が接続される前記中継部の他の端子からほぼλ／４の長さだけ離れた位置に設けられ、前記同軸線が貫通または巻回される第１のフェライトコアと、
を備えたコブラアンテナ。
【請求項６】
前記中継部の一の端子に接続される前記アンテナエレメントの線状導体は、前記中継部において前記同軸線の芯線と電気的に接続されている
請求項５に記載のコブラアンテナ。
【請求項７】
前記アンテナエレメントの線状導体は、前記らせんの軸方向が前記同軸線の軸方向と同じである
請求項６に記載のコブラアンテナ。
【請求項８】
前記同軸線の他端が接続される受信機器のコネクタの前段に、前記同軸線からの高周波電流を遮断するための第２のフェライトコア、をさらに備え、
前記第２のフェライトコアは、高周波的に高いインピーダンスを持ち、前記同軸線が貫通または巻回される
請求項７に記載のコブラアンテナ。
【発明の詳細な説明】
【技術分野】
【０００１】
本発明は、コブラアンテナに関し、特にＦＭ帯からＵＨＦ帯等の幅広い周波数帯に対応できる小型のアンテナを、簡易な構成で実現可能とする技術に係わる。
【背景技術】
【０００２】
従来、テレビジョン放送やＦＭ放送等の様々な放送波を受信するアンテナとして、様々な形態のアンテナが用いられている。例えば、テレビジョン放送やＦＭ放送の受信用には、ダイポールアンテナや八木・宇田アンテナ等がよく用いられる。一方で、これらの様々な放送波又は放送波に載せられた信号を、室内や車内、あるいは徒歩での移動中に受信する機会も増えてきている。このような場合に使用するアンテナとしては、組み立てや取り付け等の取り扱いが容易で、かつ小型であることが求められる。
【０００３】
このような取り扱いが簡単なアンテナの代表としては、アンテナエレメントを単純な構造で実現したダイポールアンテナがある。このダイポールアンテナの一形態として、同軸ケーブル（同軸線）をフェライトコアに数回巻きつけて使うコブラアンテナが知られている（例えば非特許文献１）。
【０００４】
非特許文献１に記載のコブラアンテナは、同軸ケーブルの端部（給電点）の中心導体（芯線）に対しアンテナエレメントとして上側にλ／４（λ：受信電波の波長）の長さの線状導体が接続されている。また、給電点から下側へλ／４離れたところにフェライトコアが設けられている。このフェライトコアに同軸ケーブルが巻回されている。フェライトコアとこれに巻回する同軸ケーブルによりチョークコイルが形成され、フェライトコアから下のフィーダ部分が切り離されるため、簡単にλ／４のダイポールアンテナができる。
【０００５】
また、小型のアンテナとして、線状導体を方形に密に巻き込んだ密巻きコイル状小型アンテナが提案されている（例えば非特許文献２）。この密巻きコイル状小型アンテナは、線状導体をアンテナ高約１／１３波長、全長約１／５波長で先端開放の方形に密に巻くことにより、小型化かつ構造の単純化を実現している。さらに、モノポールアンテナの天頂方向のヌル深さを改善することができる。
【先行技術文献】
【非特許文献】
【０００６】
【非特許文献１】ＣＱ ｈａｍ ｒａｄｉｏ編集部編、ＣＱ出版社、「ワイヤーアンテナ」、ｐ．８４
【非特許文献２】長谷部望，坂口浩一、「密巻きコイル状小型アンテナ」、電子情報通信学会論文誌（Ｂ）、２００７年７月発行、Ｖｏｌ．Ｊ９０−Ｂ Ｎｏ．７、ｐｐ．６７０−６７８（図１）
【発明の概要】
【発明が解決しようとする課題】
【０００７】
しかしながら、非特許文献１に記載のコブラアンテナは、例えば１００ＭＨｚの放送波を受信する場合、その波長は３ｍであるから、同軸ケーブルの芯線のみのアンテナエレメントで給電点から０．７５ｍ（λ／４）の長さが必要である。また、フェライトコアに同軸ケーブルが巻回されて構成された高周波遮断部まで給電点から０．７５ｍ必要である。アンテナの長さは合計で１．５０ｍとなり、非常に大きなものとなってしまっていた。アンテナとして機能させるためには、アンテナエレメントと同軸線の外皮との間でアンテナとして機能する部分が重ならないようにしなければならないので、自動車内に設置する場合の引き回しなど、配置する場所の制約を大きく受けていた。
【０００８】
一方で、非特許文献２に記載の密巻きコイル状小型アンテナは、全長約λ／５の導体素子を同軸中心導体から垂直に引き伸ばし、途中で地板と平行に折り曲げ、再び地板方向に引き下ろした後、地板と平行に折り曲げ、最後にこれを給電点付近の垂直導体に平行に沿わせて構成される。この密巻きコイル状小型アンテナの共振周波数は主に全長Ｌに依存するが、隣り合う素子間ギャップｓの間隔に応じて変化するので製作精度が要求されていた。
【０００９】
上記事情に鑑みれば、ＦＭ帯からＵＨＦ帯等の幅広い周波数帯のアンテナとして、小型かつ製作精度を要求しないものが望まれる。
【課題を解決するための手段】
【００１０】
本開示によれば、給電点を構成する中継部と、前記中継部の一の端子に電気的に接続され、当該電波の波長をλとしたとき、電波の受信により発生する電流が前記中継部の一の端子へ流れる経路としてλ／４の長さを取り得る面積を持つ板状導体のアンテナエレメントと、前記中継部の他の端子に一端が電気的に接続される同軸線と、前記同軸線の一端が接続される前記中継部の他の端子からほぼλ／４の長さだけ離れた位置に設けられ、前記同軸線が貫通または巻回される第１のフェライトコアと、を備えたコブラアンテナが提供される。
【００１１】
前記中継部の一の端子に接続される前記アンテナエレメントの板状導体は、前記中継部において前記同軸線の芯線と電気的に接続されていてもよい。
【００１２】
前記アンテナエレメントの板状導体は、前記同軸線の軸方向に長い矩形であってもよい。
【００１３】
前記同軸線の他端が接続される受信機器のコネクタの前段に、前記同軸線からの高周波電流を遮断するための第２のフェライトコア、をさらに備え、前記第２のフェライトコアは、高周波的に高いインピーダンスを持ち、前記同軸線が貫通または巻回されてもよい。
【００１４】
また、本開示によれば、給電点を構成する中継部と、前記中継部の一の端子に電気的に接続され、受信する電話の波長をλとしたとき、ほぼλ／４の長さの線状導体がらせん状に形成されてなるアンテナエレメントと、前記中継部の他の端子に一端が電気的に接続される同軸線と、前記同軸線の一端が接続される前記中継部の他の端子からほぼλ／４の長さだけ離れた位置に設けられ、前記同軸線が貫通または巻回される第１のフェライトコアと、を備えたコブラアンテナが提供される。
【００１５】
前記中継部の一の端子に接続される前記アンテナエレメントの線状導体は、前記中継部において前記同軸線の芯線と電気的に接続されていてもよい。
【００１６】
前記アンテナエレメントの線状導体は、前記らせんの軸方向が前記同軸線の軸方向と同じであってもよい。
【００１７】
前記同軸線の他端が接続される受信機器のコネクタの前段に、前記同軸線からの高周波電流を遮断するための第２のフェライトコア、をさらに備え、前記第２のフェライトコアは、高周波的に高いインピーダンスを持ち、前記同軸線が貫通または巻回されてもよい。
【発明の効果】
【００１８】
本開示によれば、ＦＭ帯からＵＨＦ帯等の幅広い周波数帯のアンテナとして、小型かつ製作精度を要求しないものを提供することができる。
【図面の簡単な説明】
【００１９】
【図１】従来型のコブラアンテナの一例を示した説明図である。
【図２】本開示の第１の実施の形態に係るコブラアンテナの構成例を示す説明図である。
【図３】従来型のコブラアンテナのＵＨＦ帯におけるピークゲインの測定結果を示すグラフ及び表である。
【図４】本開示の第１の実施の形態によるコブラアンテナのＵＨＦ帯におけるピークゲインの測定結果を示すグラフ及び表である。
【図５】図２のコブラアンテナの変形例を示す説明図である。
【図６】本開示の第２の実施の形態によるコブラアンテナの構成例を示す説明図である。
【図７】従来型のコブラアンテナのＦＭ／ＶＨＦ帯におけるピークゲインの測定結果を示すグラフ及び表である。
【図８】本開示の第２の実施の形態によるコブラアンテナのＦＭ／ＶＨＦ帯におけるピークゲインの測定結果を示すグラフ及び表である。
【発明を実施するための形態】
【００２０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２１】
なお、説明は以下の順序で行うものとする。
１．従来型の基本構成例（コブラアンテナの例）
２．第１の実施の形態（アンテナエレメント：板状導体を使用した例）
３．第２の実施の形態（アンテナエレメント：ヘリカル構造の金属線を使用した例）
【００２２】
＜１．従来型の基本構成例＞
本開示のアンテナを説明するにあたり、まず従来型のコブラアンテナについて説明する。
図１は、従来型のコブラアンテナの一例を示した説明図である。従来型のコブラアンテナは、非特許文献１に記載のコブラアンテナと同じ原理で動作するものである。
図１に示すコブラアンテナ１は、受信する電波の波長をλとして、長さがλ／４のアンテナエレメント２と、給電点としての中継部３と、この中継部３と接続している同軸線５（同軸ケーブル）と、強磁性体のフェライトコア４を備える。中継部３からフェライトコア４までの同軸線５の長さはアンテナエレメント２と同じλ／４である。なおアンテナエレメント２として一部芯線を露出した同軸ケーブルが用いられているが、一般には線状導体のみで構成されることが多い。
【００２３】
同軸線５の一端は、中継部３を介してアンテナエレメント２に接続されている。また、同軸線５は中継部３から他端方向にλ／４の位置でフェライトコア４に１〜３回程度巻きつけられ、その他端は受信機８のコネクタ６に接続される。ここでコネクタ６としては、高周波信号の損失が少ないものを選択することが望ましい。なお、図１のアンテナエレメント２は、同軸線５と同様の構成を持つ同軸線が使用されている。
【００２４】
中継部３では、同軸線５の外皮（保護被覆）５ａ及びシールド線（外部導体）５ｂが取り除かれて、コア材５ｃ（誘導体）が露出した状態となっている。そして、同軸線５の芯線５ｄは中継部３においてアンテナエレメント２の芯線とはんだ付け等で接続され、この中継部３は基板７上にモールド成形されている。この中継部３がコブラアンテナ１の給電点Ｆｐとなる。
【００２５】
このような構成により、コブラアンテナ１では、フェライトコア４とこれに巻回する同軸線５によりチョークコイルが形成され、フェライトコア４からコネクタ６までのフィーダ部分が電気的に切り離される。そのため、中継部３（給電点Ｆｐ）からフェライトコア４までの同軸線５（長さλ／４）とアンテナエレメント２（長さλ／４）とでλ／２のダイポールアンテナが構成されることになる。このダイポールアンテナの上側の芯線５ｄの部分に玉子硝子などを取り付けて絶縁し、これを木の枝や木の枠に吊るすことで、簡単にアンテナの設置をすることが可能となる。また、このように構成したコブラアンテナ１は、自動車に設置される通信機器やモバイル機器のアンテナとすることもできる。
【００２６】
例えば、自動車に搭載されたカーナビゲーション装置によりワンセグ放送で使用されるＵＨＦ帯の周波数、例えば５００ＭＨｚの放送波を受信できるようにする場合を想定する。放送波の波長λは約６０ｃｍであるから、同軸線５の給電点Ｆｐからの長さＬ１をλ／４の１５ｃｍに、アンテナエレメント２の長さＬ２をλ／４の１５ｃｍに調整することにより、ＵＨＦ帯のアンテナを構成できる。フェライトコア４からコネクタ６までの同軸線５の長さＬは、フェライトコア４のチョークコイル効果により任意に決定できる。
【００２７】
＜２．第１の実施の形態＞
［アンテナの構成例］
図２Ａ，Ｂは、本開示の第１の実施の形態によるコブラアンテナの構成例を示す説明図である。図２Ａにおいて図１と対応する部分の詳細な説明は割愛する。
図２Ａに示すように、第１の実施の形態によるコブラアンテナ１０は、アンテナエレメント２Ａと、給電点としての中継部３Ａと、この中継部３Ａと接続している同軸線５と、フェライトコア４を備える。中継部３Ａからフェライトコア４までの同軸線５の長さはλ／４である。
【００２８】
同軸線５の一端は、中継部３Ａを介してアンテナエレメント２Ａに接続されている。また、同軸線５は中継部３Ａから他端方向にλ／４の位置でフェライトコア４に１〜３回程度巻きつけられ、その他端は受信機８のコネクタ６に接続される。１ターンとは、貫通している状態を一般的には、指す。この場合は、この場所で固定するために、樹脂で成形すするか、ケースで固定する。
【００２９】
アンテナエレメント２Ａは、一枚の平板状の金属板（板状導体）１１が基板７に固定、ケーシングされて構成される。金属板１１には導電性の良い金属材料を用いる。同軸線５の芯線５ｄは中継部３Ａにおいてアンテナエレメント２Ａの金属板１１とはんだ付け等で接続され、この中継部３Ａは基板７上にモールド成形されている。中継部３Ａがコブラアンテナ１０の給電点Ｆｐとなる。
【００３０】
金属板１１の形状や大きさは、受信する電波の周波数（波長）や実際のアンテナ特性などに応じて適宜決定することができる。例えばＵＨＦ帯の５００ＭＨｚの放送波を受信する場合、金属板１１は、図２Ｂに示すように、一例として幅４ｃｍ、高さ３ｃｍの矩形とすることができる。幅４ｃｍ、高さ３ｃｍの矩形とした場合、５００ＭＨｚの電波を受信した際に金属板１１内部に発生する電流（電荷）が芯線５ｄへ流れ込むまでの経路９ａの長さとして、実質的にλ／４の１５ｃｍを確保することができる。ただし、金属板の形状は電流の流れやすさ等の電気的特性を考慮すると、アンテナの長さ方向（同軸線５の軸方向）に長い矩形が望ましい。なお、図２Ｂに記載された経路９ａは一例であり、電流はその他複雑な経路を取り得る。
【００３１】
アンテナエレメント２Ａに金属板１１を用いることにより、従来３０ｃｍのアンテナ長が必要であったものが、本例では１９ｃｍ（＝１５ｃｍ＋４ｃｍ）の長さでアンテナを構成することが可能になる。
【００３２】
［アンテナ特性の検証］
従来型のコブラアンテナ１と第１の実施の形態によるコブラアンテナ１０との受信性能の比較を行った。
図３Ａは、従来型のコブラアンテナ１（図１参照）での、垂直偏波及び水平偏波におけるピークゲインを示したグラフである。横軸は周波数（ＭＨｚ）を示し、縦軸はピークゲイン（ｄＢｄ）を示す。測定対象の周波数帯は、ＵＨＦ帯（４７０ＭＨｚ〜８７０ＭＨｚ）とした。垂直偏波は破線で示し、水平偏波は実線で示してある。図３Ｂ及び図３Ｃに、図３Ａに示したグラフ中の各測定点における値を示した。図３Ｂは垂直偏波でのピークゲインの値を示し、図３Ｃは水平偏波でのピークゲインの値を示す。なお、図３Ｂ及び図３Ｃには、図３Ａのグラフ中にはない９０６ＭＨｚにおける測定値も示している。
【００３３】
図３Ａ及び図３Ｂに示すように、５００ＭＨｚ付近では、垂直偏波、水平偏波ともにピークゲインの値が−１０ｄＢ以下であり、アンテナゲインが取れていることが分かる。すなわち、ＵＨＦ帯において、垂直偏波と水平偏波の両方を受信できていると言える。
【００３４】
図４Ａは、本実施の形態のコブラアンテナ１０（図２参照）での、垂直偏波及び水平偏波におけるピークゲインを示したグラフである。横軸は周波数（ＭＨｚ）を示し、縦軸はピークゲイン（ｄＢｄ）を示す。測定対象の周波数帯は、図３Ａの場合と同じＵＨＦ帯（４７０ＭＨｚ〜８７０ＭＨｚ）とした。また図４Ｂ及び図４Ｃに、図４Ａに示したグラフ中の各測定点における値を示した。図４Ｂは垂直偏波でのピークゲインの値を示し、図４Ｃは水平偏波でのピークゲインの値を示す。
【００３５】
図４Ａ及び図４Ｂに示すように、調整目標の５００ＭＨｚ付近では、垂直偏波、水平偏波ともにピークゲインの値が−１０ｄＢ以下であり、アンテナゲインが取れていることが分かる。周波数帯によっては、従来型のコブラアンテナ１よりもアンテナゲインが取れている部分もある。すなわち、本実施の形態に係るアンテナは、ＵＨＦ帯において垂直偏波と水平偏波の両方を受信できていると言え、非常に小さくても従来型と同等以上の性能を確保できている。
【００３６】
［変形例］
図５は、図２のコブラアンテナ１０（コア１個品）にさらにフェライトコアを１個追加して、合計２個のフェライトコアを有するコブラアンテナを示す説明図である。
図２に示したコブラアンテナ１０を例えばＦＭ帯からＵＨＦ帯まで幅広い周波数帯のアンテナとして使う場合には、フェライトコア４から受信機８までの同軸線５の長さにより、電波の干渉が起こる場合がある。つまり、フェライトコア４から給電点Ｆｐに延びた上側の部分の同軸線５で受信する高周波電流が、フェライトコア４から受信機８に接続される下側の同軸線５に漏れるという電波干渉が発生する。この高周波電流の漏洩は、フェライトコア４の上側と下側のインピーダンス不整合によって発生するものと考えられるが、この漏洩により、アンテナとしてのゲイン特性が劣化することが起こりうる。
【００３７】
この高周波電流の漏洩の発生は、フェライトコア４から受信機８につなぐ同軸線５の長さに依存するため、この間の同軸線５の長さを決める上で、大きな制約になる。そこで、図２のコブラアンテナ１０（コア１個品）にさらにフェライトコアを１個追加して、２個のフェライトコアを持つコブラアンテナを考える。
【００３８】
図５に示すコブラアンテナ１０Ａ（コア２個品）では、受信機８に近い位置に第２のフェライトコア４Ａが設けられており、このフェライトコア４Ａが高周波に対して高いインピーダンスを示す。それゆえ、アンテナから漏れてくる高周波電流が受信機８側に伝搬しなくなる。第２のフェライトコア４Ａの位置は受信機８のコネクタ６に近いほうがより望ましい。本例のコブラアンテナ１０Ａでは、第２のフェライトコア４Ａを受信機８のコネクタ６の直前に挿入している。同軸線５は第２のフェライトコア４Ａの孔を通過させるだけでもよいが、同軸線５を２回〜３回程度フェライトコア４Ａに巻回してからコネクタ６に接続するようにしてもよい。
【００３９】
このように、本例のコブラアンテナ１０Ａでは、第２のフェライトコア４Ａをコネクタ６の前に配置することで、フェライトコア４とコネクタ６を結ぶ同軸線５が拾う高周波電流に対して受信機８側が高インピーダンスになるようにしている。このため、第１のフェライトコア４からコネクタ６に至る同軸線５が漏れた高周波電流を拾ったとしても、その漏れた高周波電流がフェライトコア４Ａで遮断され、受信機８側へ悪影響を及ぼすことがない。
【００４０】
［第１の実施の形態による効果］
上述した実施の形態によれば、アンテナエレメントとして金属板（板状導体）を用い、その金属板の面積を適切に設計することにより、電波の受信に必要な電流の経路の長さを確保する。それにより、アンテナエレメントの長さが受信電波の波長の約λ／４の長さ以下に抑えられ、小型のアンテナを実現できる。そして、小型ゆえに、配置エリアの低減、利便性の向上（設置しやすさ）が図られる。また、一枚の金属板によりアンテナエレメントを構成するので、高い製作精度が要求されない。さらに、本実施の形態のアンテナは、小型化を実現しつつアンテナ特性も維持できている。
【００４１】
なお、上述した実施の形態では、ＵＨＦ帯の電波を受信することを想定してアンテナの構成を説明したが、ＦＭ／ＶＨＦ帯の電波を受信する際にも一枚の金属板からアンテナエレメントを構成したアンテナを利用できることは言うまでもない。
【００４２】
＜３．第２の実施の形態＞
［アンテナの構成例］
次に、本開示の第２の実施の形態として、アンテナエレメントに金属板ではなくヘリカル構造の線状導体を用いた場合のコブラアンテナの構成例について説明する。
第１の実施の形態の変形例に係るコブラアンテナ１０Ａ（図５参照）を用いてＶＨＦ帯の１００ＭＨｚの電波を受信する場合、波長λは３ｍであるからアンテナエレメントの長さＬ２は７５ｃｍ必要である。そして、アンテナエレメント７５ｃｍと同軸線の外皮７５ｃｍとによってＶＨＦ帯受信用のアンテナを構成することになる。しかし、アンテナと機能させるためには、ＵＨＦ帯受信の場合以上に、そのアンテナエレメントと同軸線の外皮との間でアンテナとして機能する部分が重ならないようにしなければならないので、配置する場所の制約を大きく受けていた。そこで、第２の実施の形態では、アンテナエレメントに線状導体を用いてアンテナ長を短くする構成とした。
【００４３】
図６は、本開示の第２の実施の形態によるコブラアンテナの構成例を示す説明図である。図６において図５と対応する部分の詳細な説明は割愛する。
図６に示すように、らせん状に巻いた線状導体である金属線１３を用いてアンテナエレメント２Ｂを構成している。金属線１３の一端は開放され、他端を中継部３Ｂにおいて同軸線５の芯線５ｄとはんだ付け等で接続されている。この中継部３Ｂは基板７上にモールド成形されている。中継部３Ｂがコブラアンテナ１０Ｂの給電点Ｆｐとなる。らせん状の金属線１３は、らせんの軸方向が同軸線５の軸方向と同じである。
【００４４】
長さ７５ｃｍの金属線１３を直径１０ｍｍのらせん状に巻いてケーシングすることで構成されるアンテナエレメント２Ｂは、長さ方向では従来１．５ｍ必要であったものが、０．９ｍ（＝０．７５ｍ＋０．１５ｍ）でアンテナを構成することが可能となる。なお、金属線により成形されるらせんの直径は１０ｍｍに限るものではない。
【００４５】
［アンテナ特性の検証］
従来型のコブラアンテナ１と第２の実施の形態によるコブラアンテナ１０Ｂとの受信性能の比較を行った。
図７Ａは、従来型のコブラアンテナ１（図１参照）での、垂直偏波及び水平偏波におけるピークゲインを示したグラフである。横軸は周波数（ＭＨｚ）を示し、縦軸はピークゲイン（ｄＢｄ）を示す。測定対象の周波数帯は、ＦＭ／ＶＨＦ帯（７０ＭＨｚ〜２２０ＭＨｚ）とした。垂直偏波は破線で示し、水平偏波は実線で示してある。図７Ｂ及び図７Ｃに、図７Ａに示したグラフ中の各測定点における値を示した。図７Ｂは垂直偏波でのピークゲインの値を示し、図７Ｃは水平偏波でのピークゲインの値を示す。なお、図７Ｂ及び図７Ｃには、図７Ａの横軸に示した周波数のうち、７６ＭＨｚ〜１０７ＭＨｚまでの間の周波数における測定値のみを示している。
【００４６】
図７Ａ及び図７Ｂに示すように、１００ＭＨｚ付近では、垂直偏波でのピークゲインは１０１ＭＨｚで−１０．３４ｄＢｄとなっている。水平偏波でのピークゲインは、図７Ａ及び図７Ｃに示すように、１０１ＭＨｚで−１６．００ｄＢｄとなっている。すなわち、１００ＭＨｚ付近では、水平偏波に対するピークゲインが−１５ｄＢｄ以下となっており、水平偏波の受信状態が比較的によい。
【００４７】
図８Ａは、本実施の形態のコブラアンテナ１０Ｂ（図６参照）での、垂直偏波及び水平偏波におけるピークゲインを示したグラフである。測定対象の周波数帯は、図７Ａの場合と同じＦＭ／ＶＨＦ帯（７０ＭＨｚ〜２２０ＭＨｚ）である。また図８Ｂ及び図８Ｃに、図８Ａに示したグラフ中の各測定点における値を示した。図８Ｂは垂直偏波でのピークゲインの値を示し、図８Ｃは水平偏波でのピークゲインの値を示す。
【００４８】
図８Ａ及び図８Ｂに示すように、１００ＭＨｚ付近では、垂直偏波でのピークゲインは１０１ＭＨｚで−２７．３４ｄＢｄとなっている。水平偏波でのピークゲインは、図８Ａ及び図８Ｃに示すように、１０１ＭＨｚで−９．８７ｄＢｄとなっている。すなわち、１００ＭＨｚ付近では、水平偏波に対するピークゲインが−１５ｄＢｄ以下となっており、水平偏波の受信状態が比較的によい。この図８Ａのグラフと図７Ａのグラフで受信している電波の向きが異なるのは、測定時のアンテナの置き方の違いによるものである。
【００４９】
今回の測定結果から、受信している電波の向きが異なるものの、従来型アンテナでは垂直偏波に対して、また本実施の形態に係るアンテナでは水平偏波に対して、同じ程度アンテナゲインがあることがわかる。したがって、本実施の形態に係るアンテナは、ＦＭ／ＶＨＦ帯において、非常に小さくても従来型と同等以上の性能を確保できている。
【００５０】
［第２の実施の形態による効果］
上述した実施の形態によれば、アンテナエレメントとして金属線（線状導体）を用い、その金属線をらせん状に成形することにより、電波の受信に必要な電流の経路の長さを確保する。それにより、アンテナエレメントの長さが受信電波の波長の約λ／４の長さ以下に抑えられ、小型のアンテナを実現できる。そして、小型ゆえに、配置エリアの低減、利便性の向上（設置しやすさ）が図られる。また、金属線をらせん状に成形してアンテナエレメントを構成するので、高い製作精度が要求されない。さらに、本実施の形態のアンテナは、小型化を実現しつつアンテナ特性も維持できている。
【００５１】
また、コブラアンテナに本開示のアンテナを適用したが、アンテナエレメントを本開示のものに置換するだけであるからこの例に限られるものではなく、その他のモノポールアンテナやダイポールアンテナ等にも適用できる。
【００５２】
また、アンテナエレメントを金属板（板状導体）または金属線（線状導体）で構成したアンテナについて説明したが、フィルム状導体、フレキシブル導体など、その他の部材でも同様の効果を発揮できる。
【００５３】
また、上述した実施の形態では、アンテナを自動車に搭載した例で説明したが、自動車以外の室内用の機器でも使用可能であることは言うまでもない。
【００５４】
以上、添付図面を参照しながら本開示の好適な実施形態について詳細に説明したが、本技術はかかる例に限定されない。本開示の技術分野における通常の知識を有する者であれば、請求の範囲に記載された技術的思想の範疇において、各種の変更例または修正例に想到し得ることは明らかであり、これらについても、当然に本開示の技術的範囲に属するものと了解される。
【００５５】
なお、本技術は以下のような構成も取ることができる。
（１）  給電点を構成する中継部と、
前記中継部の一の端子に電気的に接続され、当該電波の波長をλとしたとき、電波の受信により発生する電流が前記中継部の一の端子へ流れる経路としてλ／４の長さを取り得る面積を持つ板状導体のアンテナエレメントと、
前記中継部の他の端子に一端が電気的に接続される同軸線と、
前記同軸線の一端が接続される前記中継部の他の端子からほぼλ／４の長さだけ離れた位置に設けられ、前記同軸線が貫通または巻回される第１のフェライトコアと、
を備えたコブラアンテナ。
（２）  前記中継部の一の端子に接続される前記アンテナエレメントの板状導体は、前記中継部において前記同軸線の芯線と電気的に接続されている請求項１に記載のコブラアンテナ。
（３）  前記アンテナエレメントの板状導体は、前記同軸線の軸方向に長い矩形である請求項１又は２に記載のコブラアンテナ。
（４）  前記同軸線の他端が接続される受信機器のコネクタの前段に、前記同軸線からの高周波電流を遮断するための第２のフェライトコア、をさらに備え、
前記第２のフェライトコアは、高周波的に高いインピーダンスを持ち、前記同軸線が貫通または巻回される請求項１〜３のいずれか一項に記載のコブラアンテナ。
（５）  給電点を構成する中継部と、
前記中継部の一の端子に電気的に接続され、受信する電話の波長をλとしたとき、ほぼλ／４の長さの線状導体がらせん状に形成されてなるアンテナエレメントと、
前記中継部の他の端子に一端が電気的に接続される同軸線と、
前記同軸線の一端が接続される前記中継部の他の端子からほぼλ／４の長さだけ離れた位置に設けられ、前記同軸線が貫通または巻回される第１のフェライトコアと、
を備えたコブラアンテナ。
（６）  前記中継部の一の端子に接続される前記アンテナエレメントの線状導体は、前記中継部において前記同軸線の芯線と電気的に接続されている請求項５に記載のコブラアンテナ。
（７）  前記アンテナエレメントの線状導体は、前記らせんの軸方向が前記同軸線の軸方向と同じである請求項５又は６に記載のコブラアンテナ。
（８）  前記同軸線の他端が接続される受信機器のコネクタの前段に、前記同軸線からの高周波電流を遮断するための第２のフェライトコア、をさらに備え、
前記第２のフェライトコアは、高周波的に高いインピーダンスを持ち、前記同軸線が貫通または巻回される請求項５〜７のいずれか一項に記載のコブラアンテナ。
【符号の説明】
【００５６】
２，２Ａ，２Ｂ…アンテナエレメント、３，３Ａ，３Ｂ…中継部、４，４Ａ…フェライトコア、５…同軸線、５ａ…外皮、５ｂ…シールド線、５ｃ…コア材、５ｄ…芯線、７…基板、９…金属板、９ａ…経路、１０，１０Ａ，１０Ｂ…コブラアンテナ
【図１】
2011259414.tif 000003
【図２】
2011259414.tif 000004
【図３】
2011259414.tif 000005
【図４】
2011259414.tif 000006
【図５】
2011259414.tif 000007
【図６】
2011259414.tif 000008
【図７】
2011259414.tif 000009
【図８】
2011259414.tif 000010